(57)【要約】【課題】ＭＩＭＯ伝送において、伝送誤りによるデータパケットの損失を低減させる。【解決手段】送信装置１の振分部１１は、受信装置２からのＣＳＩフィードバックにより、ストリーム数、ストリーム毎の符号化率及び変調方式等を受信し、各ストリームに対するデータパケットの振り分け規則を設定する。振分部１１は、振り分け規則に従い、データアグリゲーション単位の複数のデータパケットを、データパケット単位に各ストリームに振り分ける。符号化部１２−１，１２−２等及び変調部１３−１，１３−２等は、所定の符号化率及び所定の変調方式にて処理を行う。これにより、データパケットは、データパケット単位に各ストリームに振り分けられ、受信装置２へ送信される。一方のストリームにて送信されたデータパケットが誤った場合であっても、他方のストリームにて送信されたデータパケットが誤っていない可能性がある。【選択図】図１
2017011568.tif 000002
【特許請求の範囲】
【請求項１】
データパケットを入力し、前記データパケットを含む複数のストリームのそれぞれを、伝搬路情報に基づいて選択された符号化率及び変調方式にて符号化及び変調し、受信装置へ送信するＭＩＭＯ伝送の送信装置において、
所定数の前記データパケットを単位として、前記伝搬路情報に基づいて選択されたストリーム毎の符号化率及び変調方式から得られる前記ストリーム毎の伝送レートに応じて、前記所定数の前記データパケットを、前記伝搬路情報に基づいて選択されたストリーム数の各ストリームに振り分ける振分部と、
前記振分部により振り分けられた各ストリームに対し、前記ストリーム毎の符号化率にて符号化処理を行う符号化部と、
前記符号化部により符号化処理が行われた各ストリームに対し、前記ストリーム毎の変調方式にて変調処理を行う変調部と、
を備えたことを特徴とする送信装置。
【請求項２】
請求項１に記載の送信装置において、
前記振分部は、
前記所定数の前記データパケットを単位として、前記伝搬路情報に基づいて選択されたストリーム毎の符号化率及び変調方式から得られる前記ストリーム毎の伝送レートに応じて、前記データパケットがそのシーケンス番号順の送信タイミングまたは受信タイミングとなるように、前記所定数の前記データパケットを、前記伝搬路情報に基づいて選択されたストリーム数の各ストリームに振り分ける、ことを特徴とする送信装置。
【請求項３】
請求項１または２に記載の送信装置において、
前記ストリーム毎に生成されたパケット損失の程度を示す情報に基づいて、前記パケット損失の程度が他のストリームに比べて相対的に高いストリームについて、前記符号化率を下げるか、または前記変調方式よりも少ない多値数の変調方式を選択するか、または前記符号化率を下げると共に前記変調方式よりも少ない多値数の変調方式を選択するように補正し、前記パケット損失の程度が他のストリームに比べて相対的に低いストリームについて、前記符号化率を上げるか、または前記変調方式よりも多い多値数の変調方式を選択するか、または前記符号化率を上げると共に前記変調方式よりも多い多値数の変調方式を選択するように補正する補正部を備え、
前記符号化部は、前記補正部により補正された符号化率にて符号化処理を行い、
前記変調部は、前記補正部により補正された変調方式にて変調処理を行う、ことを特徴とする送信装置。
【請求項４】
データパケットを入力し、前記データパケットを含む複数のストリームのそれぞれを、伝搬路情報に基づいて選択された符号化率及び変調方式にて符号化及び変調し、受信装置へ送信する送信装置と、前記複数のストリームを受信し、前記変調に対応する復調、及び前記符号化に対応する復号を行い、元のデータパケットを復元する受信装置と、を備えて構成されるＭＩＭＯ伝送の送受信システムにおいて、
請求項１または２の送信装置と、
前記送信装置と当該受信装置との間の伝搬路情報を推定し、前記伝搬路情報に基づいて、ストリーム数、ストリーム毎の符号化率及び変調方式を選択し、前記ストリーム数、ストリーム毎の符号化率及び変調方式を前記送信装置へ送信し、前記ストリーム毎の符号化率及び変調方式にて生成された前記ストリーム数の各ストリームを受信し、前記復調及び前記復号により、元のデータパケットを復元する受信装置と、を備え、
前記受信装置は、
前記ストリーム毎にパケット損失の程度を示す情報を生成し、前記パケット損失の程度を示す情報に基づいて、前記パケット損失の程度が他のストリームに比べて相対的に高いストリームについて、前記符号化率を下げるか、または前記変調方式よりも少ない多値数の変調方式を選択するか、または前記符号化率を下げると共に前記変調方式よりも少ない多値数の変調方式を選択するように補正し、前記パケット損失の程度が他のストリームに比べて相対的に低いストリームについて、前記符号化率を上げるか、または前記変調方式よりも多い多値数の変調方式を選択するか、または前記符号化率を上げると共に前記変調方式よりも多い多値数の変調方式を選択するように補正する補正部を備え、
前記補正部により補正された符号化率、変調方式、または符号化率及び変調方式を前記送信装置へ送信し、前記送信装置に、前記補正された符号化率にて符号化処理を行わせ、前記補正された変調方式にて変調処理を行わせる、ことを特徴とする送受信システム。
【発明の詳細な説明】
【技術分野】
【０００１】
本発明は、パケット無線伝送技術に関し、特に、ＭＩＭＯ（Multi-Input Multi-Output）による複数のアンテナを用いた空間多重伝送技術に関する。
【背景技術】
【０００２】
ＭＩＭＯによる複数のアンテナを用いた空間多重伝送（ＭＩＭＯ伝送）には、伝搬路情報（ＣＳＩ：Channel State Information）に基づいたエクスプリシットビームフォーミングによる固有モード伝送がある（例えば非特許文献１を参照）。
【０００３】
図９は、エクスプリシットによるＣＳＩ推定を用いたビーム形成手順を説明する図である。基地局（ＡＰ：Access Point）がトレーニング信号を端末（ＳＴＡ：Station）へ送信することにより、端末は、送信側のリソース（受信電力、伝送レート、送信ビーム（ストリーム数等））に関わるデータであるＣＳＩを推定し、ＣＳＩに基づいて基地局側の符号化率等のパラメータを求める。そして、端末は、ＣＳＩに基づいたパラメータを基地局へフィードバックし、基地局は、ＣＳＩに基づいたパラメータを用いて、送信ビームを適切に制御する。これにより、より優れた伝送特性を得ることが可能となる。
【０００４】
図１０は、ＭＩＭＯ固有モードによるビーム形成手順を説明する図である。基地局は、アンテナ毎の異なるストリームＳＴ1，ＳＴ2，ＳＴ3を形成（送信ビームを形成）し、同じ周波数で同時に端末へ送信する。これらのストリームＳＴ1，ＳＴ2，ＳＴ3は、ＭＩＭＯチャネルマトリックス（Ｈ）、信号のＳＮＲ（Signal Noise Ratio）等のＣＳＩに基づいて選択された最適な符号化率、変調方式等により形成されるから、各ストリームは異なった伝送レートで送信される。
【０００５】
図１１は、従来のデータパケット送受信例を説明する図である。まず、ＣＳＩフィードバック期間において、送信ビームを形成するためのパラメータが選択され、そして、ストリーム送受信期間において、ＣＳＩフィードバック期間にて形成された送信ビーム（図１１の例では、第１の系統では６４ＱＡＭの変調方式が用いられ、第２の系統ではＢＰＳＫの変調方式が用いられる。）にて、複数のアンテナから複数のストリームが送信される。
【０００６】
基地局は、送信ビームを形成するために、トレーニング信号であるＮＤＰＡ（Null Data Packet Announcement）及びＮＤＰ（Null Data Packet）を端末へ送信する。端末は、ＮＤＰＡ及びＮＤＰを受信すると、ＣＳＩを推定し、基地局における最適な符号化率、変調方式等を選択し、これらのデータを含むＢＲ（Beamforming Report）を基地局へ送信する。ＮＤＰＡ及びＮＤＰは、ＣＳＩの推定を指示するためのデータ及びヌルパケットである。
【０００７】
基地局は、端末からＢＲを受信し、ＢＲに含まれるデータに従い、各系統の符号化率、変調方式等にて送信ビームを形成する。そして、基地局は、同一のデータパケットを各ストリームに分割して端末へ送信する。これにより、分割された同じシーケンス番号のデータパケットが、同一時間に送受信される。端末は、所定単位に、データパケットを正常に受信したか否かを示すブロックＡＣＫ（Block ACK）の情報を基地局へ送信する。
【０００８】
このように、従来方式のＭＩＭＯ伝送では、各ストリームにより、分割された同じシーケンス番号のデータパケットが同一の時間毎に順次送信される。トレーニング信号であるＮＤＰＡ及びＮＤＰは、所定の時間間隔で基地局から端末へ送信される。これにより、形成される送信ビームは、時々刻々変化する伝搬路の状況に応じて、所定の時間間隔で更新される。
【０００９】
図１２は、従来のデータパケット分割例を説明する図である。まず、上位レイヤから送られてきたデータパケット（データ＃１〜＃ｎ）は、バッファ/キューに格納される。バッファ／キューに格納されたデータパケットは、所定の送信タイミングで取り出される。取り出されたデータパケットは、第１のデータパケットと第２のデータパケットとの２つに分割され、第１の系統及び第２の系統に振り分けられる。ここで、バッファ／キューから取り出された元のデータパケットと、分割後の２つのデータパケットとは、分割後の２つのデータパケットを結合することで、バッファ／キューから取り出された元のデータパケットが生成されるという関係にある。
【００１０】
そして、分割された第１のデータパケット（データ＃１〜＃ｎ）は、第１の系統において、例えば６４ＱＡＭの変調方式にて変調され、ストリーム＃１としてアンテナ＃１から順次送信される。また、分割された第２のデータパケット（データ＃１〜＃ｎ）は、第２の系統において、例えばＱＰＳＫの変調方式にて変調され、ストリーム＃２としてアンテナ＃２から順次送信される。この場合、同じシーケンス番号（＃１〜＃ｎ）のデータパケットは、アンテナ＃１，＃２から同時に順次送信される。
【００１１】
このようなＭＩＭＯ伝送について、様々な技術が提案されている。例えば、既存のＦＰＵ（Field Pickup Unit）において、空間多重伝送用アダプタを用いることによりＭＩＭＯ伝送を実現する技術（特許文献１を参照）が知られている。また、伝搬環境に最適となる送信重みまたは伝搬路行列を簡易に求める技術（特許文献２，３を参照）、高速移動体通信によりＭＩＭＯ伝送を実現する技術（特許文献４を参照）、空間多重数を決定する技術（特許文献５を参照）が知られている。
【００１２】
また、プリコーディングを用いたＭＩＭＯ伝送において、ピーク抑圧による干渉に起因するチャネル容量の劣化を抑える技術（特許文献６を参照）、ＭＩＭＯ伝送において、チャネルの時変動量等を推定し、ストリーム数、各ストリームの符号化率、変調方式等を決定する技術（特許文献７を参照）が知られている。
【００１３】
また、ＭＩＭＯ伝送において、再送情報に基づいて、悪い環境に設置されたアンテナから送信したパケットを、良い環境に設置されたアンテナから送信させるように並べ替える技術（特許文献８を参照）が知られている。この技術により、ＭＩＭＯ伝送における誤り率を改善し、再送効率を向上させることができる。
【００１４】
また、各ストリームで分離したプロセスのＨＡＲＱを使用する際に、それぞれのプロセスに対して合成するデータブロックの整合性を維持する技術（特許文献９を参照）が知られている。
【先行技術文献】
【特許文献】
【００１５】
【特許文献１】特許第５２８６０９１号公報
【特許文献２】特開２００６−１２１５１６号公報
【特許文献３】特許第４３７６８０５号公報
【特許文献４】特開２００８−１２４８１８号公報
【特許文献５】特許第４４０２１２７号公報
【特許文献６】特許第５２９１６６８号公報
【特許文献７】特許第４６１９３９２号公報
【特許文献８】特許第４１２８１９７号公報
【特許文献９】特開２０１４−２０９７５３号公報
【非特許文献】
【００１６】
【非特許文献１】IEEE 802.11ac, Part 11, Wireless LAN Medium Access Control (MAC) and Physical Layer (PHY) specifications
【発明の概要】
【発明が解決しようとする課題】
【００１７】
前述のとおり、端末から基地局へＣＳＩに基づいたパラメータがフィードバックされることで、各ストリームのＳＮＲ（Signal Noise Ratio）等を指標とした最適な符号化率、変調方式等が選択される。そして、図１２に示したとおり、例えばストリーム数を２として、６４ＱＡＭにて変調したストリーム＃１と、ＱＰＳＫにて変調したストリーム＃２とが、異なる伝送レートにて、それぞれのアンテナを介して送信される。
【００１８】
このようなＭＩＭＯ伝送では、同じシーケンス番号のデータパケットが分割され、複数のストリームにて送信されるから、複数のストリームのうち１つのストリームが干渉、伝搬損失等の影響を受けた場合には、当該データパケットを受信することができず、パケット損失となってしまう。例えば、高い多値化の変調方式（例えば６４ＱＡＭ）にて変調され送信されたストリームに、干渉、伝搬損失等によって誤りが発生した場合、低い多値化の変調方式（例えばＱＰＳＫ）にて変調され送信されたストリームに、誤りが発生せず送信が成功したとしても、データパケット単位ではパケット損失となってしまう。このため、伝送誤りによるデータパケットの損失が大きくなり、伝送効率が低下するという問題があった。
【００１９】
例えば、前記特許文献７の技術では、推定したチャネルの時変動量、及び、チャネル情報の推定時間と送信予定時間との差等から、送信により得られる信号品質を推定し、ストリーム数、ストリーム毎の符号化率及び変調方式等を決定する。この技術は、受信側において、情報に大きな誤りが生じないようにすることを目的とするものであるが、前述のとおり、データパケット単位では、伝送誤りによるデータパケットの損失を十分に低減することができない。
【００２０】
そこで、本発明は前記課題を解決するためになされたものであり、その目的は、ＭＩＭＯ伝送において、伝送誤りによるデータパケットの損失を低減可能な送信装置及び送受信システムを提供することにある。
【課題を解決するための手段】
【００２１】
前記課題を解決するために、請求項１の送信装置は、データパケットを入力し、前記データパケットを含む複数のストリームのそれぞれを、伝搬路情報に基づいて選択された符号化率及び変調方式にて符号化及び変調し、受信装置へ送信するＭＩＭＯ伝送の送信装置において、所定数の前記データパケットを単位として、前記伝搬路情報に基づいて選択されたストリーム毎の符号化率及び変調方式から得られる前記ストリーム毎の伝送レートに応じて、前記所定数の前記データパケットを、前記伝搬路情報に基づいて選択されたストリーム数の各ストリームに振り分ける振分部と、前記振分部により振り分けられた各ストリームに対し、前記ストリーム毎の符号化率にて符号化処理を行う符号化部と、前記符号化部により符号化処理が行われた各ストリームに対し、前記ストリーム毎の変調方式にて変調処理を行う変調部と、を備えたことを特徴とする。
【００２２】
また、請求項２の送信装置は、請求項１に記載の送信装置において、前記振分部が、前記所定数の前記データパケットを単位として、前記伝搬路情報に基づいて選択されたストリーム毎の符号化率及び変調方式から得られる前記ストリーム毎の伝送レートに応じて、前記データパケットがそのシーケンス番号順の送信タイミングまたは受信タイミングとなるように、前記所定数の前記データパケットを、前記伝搬路情報に基づいて選択されたストリーム数の各ストリームに振り分ける、ことを特徴とする。
【００２３】
また、請求項３の送信装置は、請求項１または２に記載の送信装置において、前記ストリーム毎に生成されたパケット損失の程度を示す情報に基づいて、前記パケット損失の程度が他のストリームに比べて相対的に高いストリームについて、前記符号化率を下げるか、または前記変調方式よりも少ない多値数の変調方式を選択するか、または前記符号化率を下げると共に前記変調方式よりも少ない多値数の変調方式を選択するように補正し、前記パケット損失の程度が他のストリームに比べて相対的に低いストリームについて、前記符号化率を上げるか、または前記変調方式よりも多い多値数の変調方式を選択するか、または前記符号化率を上げると共に前記変調方式よりも多い多値数の変調方式を選択するように補正する補正部を備え、前記符号化部が、前記補正部により補正された符号化率にて符号化処理を行い、前記変調部が、前記補正部により補正された変調方式にて変調処理を行う、ことを特徴とする。
【００２４】
さらに、請求項４の送受信システムは、データパケットを入力し、前記データパケットを含む複数のストリームのそれぞれを、伝搬路情報に基づいて選択された符号化率及び変調方式にて符号化及び変調し、受信装置へ送信する送信装置と、前記複数のストリームを受信し、前記変調に対応する復調、及び前記符号化に対応する復号を行い、元のデータパケットを復元する受信装置と、を備えて構成されるＭＩＭＯ伝送の送受信システムにおいて、請求項１または２の送信装置と、前記送信装置と当該受信装置との間の伝搬路情報を推定し、前記伝搬路情報に基づいて、ストリーム数、ストリーム毎の符号化率及び変調方式を選択し、前記ストリーム数、ストリーム毎の符号化率及び変調方式を前記送信装置へ送信し、前記ストリーム毎の符号化率及び変調方式にて生成された前記ストリーム数の各ストリームを受信し、前記復調及び前記復号により、元のデータパケットを復元する受信装置と、を備え、前記受信装置が、前記ストリーム毎にパケット損失の程度を示す情報を生成し、前記パケット損失の程度を示す情報に基づいて、前記パケット損失の程度が他のストリームに比べて相対的に高いストリームについて、前記符号化率を下げるか、または前記変調方式よりも少ない多値数の変調方式を選択するか、または前記符号化率を下げると共に前記変調方式よりも少ない多値数の変調方式を選択するように補正し、前記パケット損失の程度が他のストリームに比べて相対的に低いストリームについて、前記符号化率を上げるか、または前記変調方式よりも多い多値数の変調方式を選択するか、または前記符号化率を上げると共に前記変調方式よりも多い多値数の変調方式を選択するように補正する補正部を備え、前記補正部により補正された符号化率、変調方式、または符号化率及び変調方式を前記送信装置へ送信し、前記送信装置に、前記補正された符号化率にて符号化処理を行わせ、前記補正された変調方式にて変調処理を行わせる、ことを特徴とする。
【発明の効果】
【００２５】
以上のように、本発明によれば、ＭＩＭＯ伝送において、伝送誤りによるデータパケットの損失を低減させることが可能となる。
【図面の簡単な説明】
【００２６】
【図１】本発明の実施形態による送信装置の構成例を示すブロック図である。
【図２】振分部の処理例を説明する図である。
【図３】本発明の実施形態による受信装置の構成例を示すブロック図である。
【図４】本発明の実施形態によるデータパケット送受信例を説明する図である。
【図５】実験結果を得るための条件を説明する図である。
【図６】従来技術の実験において、そのストリームを説明する図である。
【図７】本発明の実施形態の実験において、そのストリームを説明する図である。
【図８】実験結果のスループットを説明する図である。
【図９】エクスプリシットによるＣＳＩ推定を用いたビーム形成手順を説明する図である。
【図１０】ＭＩＭＯ固有モードによるビーム形成手順を説明する図である。
【図１１】従来のデータパケット送受信例を説明する図である。
【図１２】従来のデータパケット分割例を説明する図である。
【発明を実施するための形態】
【００２７】
以下、本発明を実施するための形態について図面を用いて詳細に説明する。本発明は、ＭＩＭＯ伝送において、データパケット単位に、異なるデータパケットを複数のストリームに振り分けて送信することを特徴とする。これにより、あるストリームにて送信されたデータパケットに誤りがある場合であっても、他のストリームにて送信されたデータパケットに誤りがない可能性がある。データパケットの損失の計算はデータパケット単位に行われるから、あるストリームにて送信された誤りのあるデータパケットは、損失の計算上、誤りのあるデータパケットとして扱われ、他のストリームにて送信された誤りのないデータパケットは、損失の計算上、誤りのないデータパケットとして扱われる。一方、従来技術では、同じデータパケットが分割されて送信されるから、あるストリームにて送信されたデータパケット（分割されたデータパケット）に誤りがある場合、他のストリームにて送信されたデータパケット（分割されたデータパケット）に誤りがなくても、当該データパケット全体として誤りがあるものとして、データパケットの損失が計算される。したがって、本発明は、従来技術に比べ、伝送誤りによるデータパケットの損失を低減させることが可能となる。
【００２８】
〔送信装置〕
まず、本発明の実施形態による送信装置について説明する。図１は、本発明の実施形態による送信装置の構成例を示すブロック図である。この送信装置１は、ＭＩＭＯ伝送を行う送受信システムに用いる送信側の装置である。送信装置１は、メモリ１０、振分部１１、複数の符号化部１２−１，１２−２等、複数の変調部１３−１，１３−２等、複数の送信部１４−１，１４−２等、複数の切替部１５−１，１５−２等、複数のアンテナ１６−１，１６−２等、受信部１７及び指示部１８を備えている。尚、受信部１７は、アンテナ１６−１，１６−２等に対応して複数存在するが、説明の都合上１つのみ示してあり、受信信号の復調及び復号については省略してある。また、図１の送信装置１は、本発明と直接関連する構成部のみを示してある。
【００２９】
複数の符号化部１２−１，１２−２等、複数の変調部１３−１，１３−２等、複数の送信部１４−１，１４−２等、複数の切替部１５−１，１５−２等、複数のアンテナ１６−１，１６−２等において、対応するそれぞれの構成部により形成される系統の数は、所定数ｎ（ｎは２以上の整数）である。
【００３０】
送信装置１は、データパケットを入力すると、データパケットをメモリ１０に格納する。メモリ１０は、バッファまたはキューである。送信装置１は、メモリ１０に格納されたデータパケットを分割することなく、すなわちその構成を崩すことなく、データパケット単位に複数のデータパケットからなるストリームを複数生成し、複数のストリームを送信する。
【００３１】
送信装置１は、ＣＳＩフィードバック期間において、ＮＤＰＡ及びＮＤＰを後述する受信装置２へ送信すると、後述する受信装置２により、ＣＳＩが推定され、ストリーム数、ストリーム毎の符号化率及び変調方式等が選択される。送信装置１の受信部１７は、後述する受信装置２から、ストリーム数、ストリーム毎の符号化率及び変調方式等を受信し、これらのデータを、指示部１８を介して振分部１１に出力する。
【００３２】
振分部１１は、指示部１８からストリーム数、ストリーム毎の符号化率及び変調方式等を入力し、所定時間のデータアグリゲーション単位（後述するブロックＡＣＫに対応するデータパケット群の単位）において、各ストリームへのデータパケットの振り分け規則を設定する。
【００３３】
例えば、振分部１１は、ストリーム数、ストリーム毎の符号化率及び変調方式に基づいて、ストリーム毎の伝送レートを算出し、ストリーム毎の伝送レートに基づいて、データアグリゲーション単位の所定時間内で伝送可能なデータパケットの数を、ストリーム毎に算出する。そして、振分部１１は、第１の振り分け規則として、データアグリゲーションを単位とした時間長において、ストリーム毎に、当該ストリームが前記算出したデータパケット数のデータパケットにより生成されるように、かつランダムに、シーケンス番号順のデータパケット（時系列のデータパケット）を振り分ける規則を設定する。
【００３４】
また、例えば、振分部１１は、ストリーム数、ストリーム毎の符号化率及び変調方式に基づいて、ストリーム毎の伝送レートを算出し、ストリーム毎の伝送レートに基づいて、データアグリゲーション単位の所定時間内で伝送可能なデータパケットの数を、ストリーム毎に算出する。そして、振分部１１は、第２の振り分け規則として、データアグリゲーションを単位とした時間長において、ストリーム毎に、当該ストリームが前記算出したデータパケット数のデータパケットにより生成されるように、かつデータパケットがシーケンス番号順の受信タイミングとなるように、シーケンス番号順のデータパケット（時系列のデータパケット）を振り分ける規則を設定する。尚、振分部１１は、当該ストリームが前記算出したデータパケット数のデータパケットにより生成されるように、かつデータパケットがシーケンス番号順の送信タイミングとなるように、振り分け規則を設定してもよい。
【００３５】
この第２の振り分け規則を用いることにより、後述する受信装置２は、シーケンス番号順にデータパケットを受信することができる。したがって、ランダムなシーケンス番号のデータパケットを受信する場合よりも、遅延が短くなる。
【００３６】
振分部１１は、ストリーム送受信期間において、メモリ１０からデータパケットを読み出し、振り分け規則に従い、データアグリゲーション単位の複数のデータパケット毎に、これらのデータパケットを、所定のストリーム数の各ストリームに振り分ける。振分部１１は、振り分けたデータパケットからなるストリームを生成し、各ストリームを対応する符号化部１２−１，１２−２等に出力する。
【００３７】
図２は、振分部１１の処理例を説明する図である。この例は、データアグリゲーション単位の時間長（データアグリゲーション長）における複数のデータパケット＃１〜＃ｎ（ｎは２以上の整数）を、前記第２の振り分け規則に従って、アンテナ１６−１，１６−２にそれぞれ対応した２つのストリーム＃１，＃２に振り分ける例である。
【００３８】
振分部１１は、前記第２の振り分け規則に従って、データパケット＃１〜＃ｎについて、データパケット＃１をストリーム＃１に、データパケット＃２をストリーム＃２に、データパケット＃３をストリーム＃１に、・・・、データパケット＃ｎをストリーム＃２にそれぞれ振り分ける。
【００３９】
これにより、図２に示したとおり、データアグリゲーション単位のシーケンス番号順のデータパケット＃１〜＃ｎが、ストリーム＃１，＃２毎に、当該ストリーム＃１，＃２が前記算出したデータパケット数のデータパケットにより生成されるように、かつデータパケットがシーケンス番号順の送信タイミングまたは受信タイミングとなるように、データパケット単位に、ストリーム＃１，２に振り分けられる。
【００４０】
図１に戻って、符号化部１２−１，１２−２等は、指示部１８から対応する符号化率の指示を入力し、振分部１１から対応するストリームを入力し、ストリームのデータパケットに対し、所定の符号化率の符号にて符号化処理を行う。符号化部１２−１，１２−２等は、符号化したデータパケットからなるストリームを、対応する変調部１３−１，１３−２等に出力する。
【００４１】
変調部１３−１，１３−２等は、指示部１８から対応する変調方式の指示を入力し、対応する符号化部１２−１，１２−２等からストリームを入力し、ストリームのデータパケットに対し、所定の変調方式にて変調処理を行い、変調されたデータパケットからなるストリームの変調信号を、対応する送信部１４−１，１４−２等に出力する。
【００４２】
送信部１４−１，１４−２等は、対応する変調部１３−１，１３−２等からストリームの変調信号を入力し、変調信号を所定の無線信号に変換し、無線信号を、対応する切替部１５−１，１５−２等及びアンテナ１６−１，１６−２等を介して送信する。
【００４３】
切替部１５−１，１５−２等は、例えば時分割にて、送信部１４−１，１４−２等とアンテナ１６−１，１６−２等とを接続することで、当該送信装置１から後述する受信装置２への送受信経路を形成し、アンテナ１６−１，１６−２等と受信部１７とを接続することで、後述する受信装置２から当該送信装置１への送受信経路を形成するために、切り替え処理を行う。
【００４４】
受信部１７は、ＣＳＩフィードバック期間において、後述する受信装置２により送信された無線信号を、対応するアンテナ１６−１，１６−２等及び切替部１５−１，１５−２等を介してそれぞれ受信し、無線信号を、ストリーム数、ストリーム毎の符号化率及び変調方式等に変換して指示部１８に出力する。また、受信部１７は、ストリーム送受信期間において、後述する受信装置２により送信された無線信号をそれぞれ受信し、無線信号を、データアグリゲーション単位のブロックＡＣＫの変調信号に変換する。
【００４５】
指示部１８は、受信部１７からストリーム数、ストリーム毎の符号化率及び変調方式等を入力し、これらのデータを振分部１１に出力すると共に、ストリーム毎の符号化率を対応する符号化部１２−１，１２−２等に出力し、ストリーム毎の変調方式を対応する変調部１３−１，１３−２等に出力する。
【００４６】
尚、図１に示した送信装置１では、ストリームとアンテナ１６−１，１６−２等の系統とが１対１で対応しているものとして説明した。つまり、振分部１１は、振り分け規則に従い、メモリ１０から読み出したデータパケットを、ストリーム数の各ストリームに振り分け、各ストリームを、対応する符号化部１２−１，１２−２等に出力する。これに対し、ストリームとアンテナ１６−１，１６−２等の系統とが１対ｎ（ｎは２以上の整数）で対応している場合、振分部１１は、振り分け規則に従い、メモリ１０から読み出したデータパケットを、ストリーム数の各ストリームに振り分けた後、同一のストリームを、当該ストリームに対応する複数（ｎ）の系統に出力する。
【００４７】
例えば、アンテナ１６−１，１６−２等の本数を８とし、ストリーム数を２とした場合、振分部１１は、データパケットを２つのストリーム（第１のストリーム及び第２のストリーム）に振り分ける。そして、振分部１１は、第１のストリームをコピーし、同じ第１のストリームを、対応する４本のアンテナの系統へそれぞれ出力し、第２のストリームをコピーし、同じ第２のストリームを、対応する他の４本のアンテナの系統へそれぞれ出力する。つまり、ストリームは、ストリーム数に応じた所定数のアンテナに対応し、各ストリームに対応する系統のアンテナは、ストリーム数に応じて必然的に決定される。
【００４８】
アンテナ１６−１，１６−２等の本数を８とし、ストリーム数を２とした場合、前述のとおり、２つのストリームのそれぞれは、４本のアンテナの系統に対応し、ストリーム数を４とした場合、４つのストリームのそれぞれは、２本のアンテナの系統に対応する。このように、ストリームに対応する所定数のアンテナの系統は予め設定されている。
【００４９】
以上のように、本発明の実施形態の送信装置１によれば、ＣＳＩフィードバック期間において、後述する受信装置２からストリーム数、ストリーム毎の符号化率及び変調方式等を受信し、振分部１１は、各ストリームへのデータパケットの振り分け規則を設定する。そして、振分部１１は、ストリーム送受信期間において、振り分け規則に従い、データアグリゲーション単位の複数のデータパケットを、データパケット単位に各ストリームに振り分け、振り分けたデータパケットからなるストリームを生成する。符号化部１２−１，１２−２等及び変調部１３−１，１３−２等は、所定の符号化率及び所定の変調方式にて処理を行う。これにより、データパケット単位に振り分けられて生成された複数のストリームが、後述する受信装置２へ送信される。
【００５０】
本発明の実施形態では、ストリーム毎に独立したデータパケットが送受信されるから、例えば高い多値化の変調方式のストリームにて送信されたデータパケットが誤った場合であっても、低い多値化の変調方式のストリームにて送信されたデータパケットが誤っていない可能性がある。また、低い多値化の変調方式のストリームにて送信されたデータパケットが誤った場合であっても、高い多値化の変調方式のストリームにて送信されたデータパケットが誤っていない可能性がある。例えば、図２では、高い多値化の変調方式（６４ＱＡＭ）のストリーム＃１で送信したデータパケット＃１が誤った場合であっても、低い多値化の変調方式（ＱＰＳＫ）で送信したデータパケット＃２が誤っていないときは、データパケット＃２にはパケット誤りがないと判断される。
【００５１】
このように、データパケットが誤っていない場合は、当該データパケットの全てが誤りであると判断されることがないから、同じデータパケットが分割されて送信される従来技術に比べ、伝送誤りによるデータパケットの損失を低減させることが可能となる。
【００５２】
〔受信装置〕
次に、本発明の実施形態による受信装置について説明する。図３は、本発明の実施形態による受信装置の構成例を示すブロック図である。この受信装置２は、ＭＩＭＯ伝送を行う送受信システムに用いる受信側の装置である。受信装置２は、複数のアンテナ２０−１，２０−２等、複数の切替部２１−１，２１−２等、複数の受信部２２−１，２２−２等、復調復号部２３、メモリ２４、ＣＳＩ推定部２５、符号化率等選択部２６及び送信部２７を備えている。送信部２７は、アンテナ２０−１，２０−２等に対応して複数存在するが、説明の都合上１つのみ示してあり、送信信号の符号化及び変調は省略してある。また、図３の受信装置２は、本発明と直接関連する構成部のみを示してある。
【００５３】
複数のアンテナ２０−１，２０−２等、複数の切替部２１−１，２１−２等、複数の受信部２２−１，２２−２等において、対応するそれぞれの構成部により形成される系統の数は、所定数ｎ（ｎは２以上の整数）である。
【００５４】
受信装置２は、送信装置１により送信された複数のストリームを受信すると、ＭＩＭＯ伝送の復調及び復号処理の後、各ストリームからデータパケットを抽出して元の順番に整列させ、元の順番のデータパケットに復元して出力する。
【００５５】
受信部２２−１，２２−２等は、送信装置１から送信された無線信号を、対応するアンテナ２０−１，２０−２及び切替部２１−１，２１−２等を介して受信し、無線信号を変調信号に変換し、復調復号部２３に出力する。
【００５６】
具体的には、受信部２２−１，２２−２等は、ＣＳＩフィードバック期間において、無線信号をＮＤＰＡ及びＮＤＰの変調信号に変換し、復調復号部２３に出力する。これにより、後述するＣＳＩ推定部２５によりＣＳＩが推定され、後述する符号化率等選択部２６により符号化率等が選択される。
【００５７】
また、受信部２２−１，２２−２等は、ストリーム送受信期間において、無線信号をストリームの変調信号に変換し、復調復号部２３に出力する。これにより、後述する復調復号部２３により、ＭＩＭＯ伝送の復調及び復号処理が行われ、各ストリームからデータパケットが抽出され、元の順番のデータパケットがメモリ２４に格納される。
【００５８】
復調復号部２３は、ＣＳＩフィードバック期間において、受信部２２−１，２２−２等からＮＤＰＡ及びＮＤＰの変調信号を入力すると、伝搬路応答を算出する等して、ＭＩＭＯ等化処理及び分離処理を行い、復調及び復号処理等を行う。そして、復調復号部２３は、後述するＣＳＩ推定部２５によりＣＳＩを推定するために必要な各種データを生成する。そして、復調復号部２３は、伝搬路応答及び各種データをＣＳＩ推定部２５に出力する。また、復調復号部２３は、後述する符号化率等選択部２６により選択された符号化率等を入力する。
【００５９】
復調復号部２３は、ストリーム送受信期間において、受信部２２−１，２２−２等からストリームの変調信号を入力し、伝搬路応答を算出する等して、ＭＩＭＯ等化処理及び分離処理を行い、既に入力済みの符号化率等を用いて、送信装置１の変調部１３−１，１３−２等及び符号化部１２−１，１２−２等に対応した復調及び復号処理等を行う。そして、復調復号部２３は、各ストリームからデータパケットを抽出し、シーケンス番号に基づいて元の順番に整列させ、元の順番のデータパケットをメモリ２４に格納する。
【００６０】
復調復号部２３は、ストリーム毎にパケット損失の程度を示す情報（パケット損失情報）を生成し、パケット損失情報を符号化率等選択部２６に出力する。このように、受信装置２は、送信装置１から送信された、データパケットがデータパケット単位に振り分けられて生成された複数のストリームを受信することで、ストリーム毎のパケット損失情報を得ることができる。
【００６１】
また、復調復号部２３は、データアグリゲーション単位に、データパケットを正常に受信したか否かを示すブロックＡＣＫの情報を送信部２７に出力する。
【００６２】
ＣＳＩ推定部２５は、従来技術と同様に、ＣＳＩフィードバック期間において、復調復号部２３から伝搬路応答及び各種データを入力すると共に、図示しない構成部から、ＣＳＩを生成するための各種データを入力する。そして、ＣＳＩ推定部２５は、伝搬路応答及び各種データに基づいてＣＳＩを推定し、ＣＳＩを符号化率等選択部２６に出力する。前述のとおり、ＣＳＩは、送信側のリソースに関する伝搬路情報である。尚、ＣＳＩの推定処理は既知であるから、ここでは説明を省略する。
【００６３】
符号化率等選択部２６は、ＣＳＩ推定部２５からＣＳＩを入力し、ＣＳＩに基づいて、送信装置１におけるストリーム数、ストリーム毎の符号化率及び変調方式等を選択する。例えば、符号化率等選択部２６は、ＣＳＩに基づいて、伝搬路応答が類似する伝搬路を特定し、当該伝搬路における送信装置１側のアンテナ１６−１，１６−２等の系統を同じストリームに対応付ける等して、ストリームとアンテナ１６−１，１６−２等の系統とを対応させたストリーム数を選択する。例えば、送信装置１のアンテナ１６−１，１６−２等の本数を８とし、ストリーム数として２が選択された場合、第１のストリームが、８本のアンテナ１６−１，１６−２等のうち所定の４本のアンテナの系統に対応し、第２のストリームが、他の４本のアンテナの系統に対応する。尚、ＣＳＩに基づいたストリーム数、ストリーム毎の符号化率及び変調方式等の選択処理は既知であるから、ここでは説明を省略する。
【００６４】
符号化率等選択部２６は、選択したストリーム数、ストリーム毎の符号化率及び変調方式等を送信部２７に出力し、ストリーム毎の符号化率及び変調方式等を復調復号部２３に出力する。
【００６５】
本発明の実施形態では、符号化率等選択部２６は、符号化率等を選択する処理に加え、符号化率等を補正する処理も行い、補正部として機能する。符号化率等選択部２６は、さらに、復調復号部２３からパケット損失情報を入力する。そして、符号化率等選択部２６は、パケット損失情報の示すストリーム毎のパケット損失の程度に応じて、ストリーム毎の符号化率を補正するか、または変調方式を補正するか、または符号化率及び変調方式を補正する。
【００６６】
具体的には、符号化率等選択部２６は、パケット損失の程度が他のストリームに比べて相対的に高い場合、当該ストリームの符号化率を下げると共に、多値数の少ない変調方式を選択する。この場合、符号化率等選択部２６は、符号化率を下げるか、または多値数の少ない変調方式を選択するようにしてもよい。
【００６７】
また、符号化率等選択部２６は、パケット損失の程度が他のストリームに比べて相対的に低い場合、当該ストリームの符号化率を上げると共に、多値数の多い変調方式を選択する。この場合、符号化率等選択部２６は、符号化率を上げるか、または多値数の多い変調方式を選択するようにしてもよい。符号化率等選択部２６は、ストリーム毎の補正後の符号化率及び変調方式を送信部２７及び復調復号部２３に出力する。
【００６８】
このようにして、ストリーム毎の補正後の符号化率、変調方式、または符号化率及び変調方式が送信装置１へ送信され、送信装置１において、各ストリームにおけるパケット損失の程度に応じた符号化率、変調方式、または符号化率及び変調方式にて各ストリームが生成される。つまり、送信装置１の符号化部１２−１，１２−２等は、補正後の符号化率にて符号化処理を行い、変調部１３−１，１３−２等は、補正後の変調方式にて変調処理を行う。
【００６９】
この結果、パケット損失の程度の高いストリームについては、低い符号化率、または多値数の少ない変調方式、または低い符号化率及び多値数の少ない変調方式が用いられるから、当該ストリームにより、少ないデータパケットが送信される。これにより、パケット損失の生じるデータパケットの数を減らすことができ、結果として、伝送誤りによるデータパケットの損失を、さらに低減させることが可能となる。
【００７０】
一方、パケット損失の程度の低いストリームについては、高い符号化率、または多い多値数の変調方式、または高い符号化率及び多い多値数の変調方式が用いられ、当該ストリームにより、多くのデータパケットが送信される。これにより、パケット損失の生じ難いデータパケットの数を増やすことができる。
【００７１】
送信部２７は、符号化率等選択部２６からストリーム数、ストリーム毎の符号化率及び変調方式等を入力し、これらのデータを無線信号に変換する。また、送信部２７は、復調復号部２３からブロックＡＣＫの情報を入力し、ブロックＡＣＫの情報を無線信号に変換する。そして、送信部２７は、無線信号を、対応する切替部２１−１，２１−２等及びアンテナ２０−１，２０−２等を介して送信する。
【００７２】
尚、送信部２７は、符号化率等選択部２６からストリーム毎の補正後の符号化率、変調方式、または符号化率及び変調方式を入力した場合、これらのデータを無線信号に変換して送信してもよいし、ブロックＡＣＫの情報に含めて無線信号に変換して送信してもよい。
【００７３】
図４は、本発明の実施形態によるデータパケット送受信例を説明する図であり、図１１に示した従来のデータパケット送受信例に対応している。図１１に示した従来の場合と同様に、本発明の実施形態においても、ＣＳＩフィードバック期間にて送信ビームが形成され、ストリーム送受信期間において、ＣＳＩフィードバック期間にて形成された送信ビーム（第１のストリームでは６４ＱＡＭの変調方式が用いられ、第２のストリームではＢＰＳＫの変調方式が用いられる。）にて、ストリームが送信される。図４では、一方のアンテナから第１のストリーム（データパケット＃１，＃３，・・・，＃ｎ）が送信され、他方のアンテナから第２のストリーム（データパケット＃２，・・・，＃ｎ−１）が送信される。
【００７４】
図４では、一方のアンテナから第１のストリーム（データパケット＃１，＃３，・・・，＃ｎ）が送信される送信完了のタイミングと、他方のアンテナから第２のストリーム（データパケット＃２，・・・，＃ｎ−１）が送信される送信完了のタイミングとが同じであるが、両タイミングが異なっていてもよい。受信装置２における受信完了のタイミングについても同様である。
【００７５】
送信装置１である基地局は、送信ビームを形成する際に、トレーニング信号であるＮＤＰＡ及びＮＤＰを、受信装置２である端末へ送信し、端末は、ＮＤＰＡ及びＮＤＰを受信すると、ＣＳＩを推定し、基地局における最適な符号化率及び変調方式等を選択し、これらのデータを含むＢＲを基地局へ送信する。
【００７６】
基地局は、端末からＢＲを受信し、ＢＲに含まれるデータに基づいて、各ストリームの符号化率、変調方式等にて送信ビームを形成する。そして、基地局は、データパケット単位に、異なるデータパケットを各ストリームに振り分けて端末へ送信する。端末は、アグリゲーション単位に、データパケットを正常に受信したか否かを示すブロックＡＣＫを基地局へ送信する。
【００７７】
このように、本発明の実施形態によるＭＩＭＯ伝送では、ストリーム毎に、異なるデータパケットが送受信される。つまり、データパケットは、複数のストリームのうち、いずれかのストリームにより送受信される。
【００７８】
また、端末は、各ストリームのパケット損失情報を生成し、パケット損失情報に基づいて、当該ストリームの符号化率を上下することで符号化率を補正するか、または、多値数の異なる変調方式を選択することで変調方式を補正するか、または、当該ストリームの符号化率を上下すると共に、多値数の異なる変調方式を選択することで、符号化率及び変調方式を補正する。端末は、ストリーム毎の補正後の符号化率、変調方式、または符号化率及び変調方式を含むブロックＡＣＫを、基地局へ送信する。基地局は、端末からブロックＡＣＫを受信し、ブロックＡＣＫに含まれるストリーム毎の補正後の符号化率、変調方式、または符号化率及び変調方式に基づいて、各ストリームの新たな送信ビームを形成する。
【００７９】
以上のように、本発明の実施形態の受信装置２によれば、ＣＳＩフィードバック期間において、送信装置１からＮＤＰＡ及びＮＤＰを受信すると、ＣＳＩ推定部２５はＣＳＩを推定し、符号化率等選択部２６は、ＣＳＩに基づいて、ストリーム数、ストリーム毎の符号化率及び変調方式等を選択する。また、符号化率等選択部２６は、パケット損失情報に基づいて、パケット損失の程度が他のストリームに比べて相対的に高い場合、例えば当該ストリームの符号化率を下げると共に、変調方式の多値数を少なくし、パケット損失の程度が他のストリームに比べて相対的に低い場合、例えば当該ストリームの符号化率を上げると共に、変調方式の多値数を多くする。そしてストリーム数、ストリーム毎の符号化率及び変調方式等は、送信装置１へ送信される。これにより、送信装置１において、データパケットが、当該ストリーム数の各ストリームに振り分けられ、当該符号化率及び変調方式にて処理される。
【００８０】
また、ストリーム送受信期間において、送信装置１からデータパケット毎に振り分けられた各ストリームを受信すると、復調復号部２３は、ＭＩＭＯ等化処理及び分離処理を行い、復調及び復号処理等を行う。そして、復調復号部２３は、各ストリームからデータパケットを抽出して元の順番に整列させ、元の順番のデータパケットに復元する。
【００８１】
本発明の実施形態では、ストリーム毎に独立したデータパケットが送受信されるから、例えば高い多値化の変調方式のストリームにて送信されたデータパケットが誤った場合であっても、低い多値化の変調方式のストリームにて送信されたデータパケットが誤っていない可能性がある。また、低い多値化の変調方式のストリームにて送信されたデータパケットが誤った場合であっても、高い多値化の変調方式のストリームにて送信されたデータパケットが誤っていない可能性がある。
【００８２】
このように、データパケットが誤っていない場合は、当該データパケットの全てが誤りであると判断されることがないから、同じデータパケットが分割されて送信される従来技術に比べ、伝送誤りによるデータパケットの損失を低減させることが可能となる。
【００８３】
また、パケット損失情報に基づいて、ストリーム毎の符号化率、変調方式、または符号化率及び変調方式が補正されるから、送信装置１において、パケット損失の程度に応じた符号化率、変調方式、または符号化率及び変調方式にて各ストリームが生成される。これにより、パケット損失の程度の低いストリームにより、多くのデータパケットが送信され、パケット損失の程度の高いストリームにより、少ないデータパケットが送信される。したがって、伝送誤りによるデータパケットの損失を、さらに低減させることが可能となる。
【００８４】
〔実験結果〕
次に、本発明の実施形態についての実験結果を説明する。この実験結果は、コンピュータを用いたシミュレーションの結果である。図５は、実験結果を得るための条件を説明する図であり、図６は、従来技術の実験において、そのストリームを説明する図であり、図７は、本発明の実施形態の実験において、そのストリームを説明する図である。また、図８は、実験結果のスループットを説明する図である。
【００８５】
図５を参照して、この実験は、送信装置１である基地局を１台、受信装置２である端末を１台としたＳＵ（Single User）−ＭＩＭＯを前提としたものである。第１のアンテナの系統において、データアグリゲーション単位のストリームの先頭から干渉波を発生させ、パケットを損失させることで実験結果を得る。干渉波は、データアグリゲーション単位の時間長（データアグリゲーション長）に対して０〜１００％で発生させる。
【００８６】
データアグリゲーション単位のデータパケット数を１０、ストリーム数を２、帯域を４０ＭＨｚ、ＧＩ（ガードインターバル）を４００ｎｓとする。伝送レートは１１ａｃ規格におけるＭＣＳ（Modulation and Coding Scheme）により定められ、その他のパラメータも１１ａｃ規格に準拠するものとする。ＭＣＳにより定められる伝送レートは、変調方式の多値数及び符号化率により決定される。
【００８７】
図６を参照して、従来技術において、その上段は、第１のアンテナから、合計9,000バイトのデータパケット＃１〜＃１０からなる１８０Ｍｂｐｓ（Ｍbit／s）のストリームが送信され、第２のアンテナから、合計6,000バイトのデータパケット＃１〜＃１０からなる１２０Ｍｂｐｓのストリームが送信されることを示している。また、その下段は、第１のアンテナから、合計13,500バイトのデータパケット＃１〜＃１０からなる２４０Ｍｂｐｓのストリームが送信され、第２のアンテナから、合計1,500バイトのデータパケット＃１〜＃１０からなる３０Ｍｂｐｓのストリームが送信されることを示している。
【００８８】
従来技術では、各アンテナから送信されるストリームにおいて、データパケット＃１〜＃１０のデータ伝送時間は全て同一である。つまり、全ての伝送レートにおいて、スループットは同じとなる（後述する図８のｄ／従来技術を参照）。
【００８９】
図７を参照して、本発明の実施形態において、その上段は、第１のアンテナから、合計9,000バイトのデータパケット＃１，＃３，＃５，＃６，＃８，＃１０からなる１８０Ｍｂｐｓのストリームが送信され、第２のアンテナから、合計6,000バイトのデータパケット＃２，＃４，＃７，＃９からなる１２０Ｍｂｐｓのストリームが送信されることを示している。また、その下段は、第１のアンテナから、合計13,500バイトのデータパケット＃１，＃２，〜，＃８，＃１０からなる２７０Ｍｂｐｓのストリームが送信され、第２のアンテナから、合計1,500バイトのデータパケット＃９からなる３０Ｍｂｐｓのストリームが送信されることを示している。
【００９０】
ここで、パケット比率を、第１のアンテナから送信されるストリームの伝送レートと第２のアンテナから送信されるストリームの伝送レートの割合とすると、図７の上段のパケット比率は６：４であり、伝送レートの比率は１８０：１２０Ｍｂｐｓである。また、下段のパケット比率は９：１、伝送レートの比率は２７０：３０Ｍｂｐｓである。この場合、スループットは、パケット比率及び伝送レートの比率に応じて異なる（後述する図８のａ／６：４及びｃ／９：１を参照）。尚、図６及び図７において、ヘッダの時間は省略してある。
【００９１】
図８を参照して、横軸は干渉波サイズ（Interference wave size：０〜１）を示し、縦軸はスループット（Total throughput：Ｍｂｐｓ）を示す。干渉波サイズの０〜１は、図５に示したように、データアグリゲーション単位の時間長（データアグリゲーション長）に対する０〜１００％に相当する。
【００９２】
ａは、図７の上段に示したパケット比率６：４及び伝送レートの比率１８０：１２０Ｍｂｐｓの場合を示し、ｂは、パケット比率８：２及び伝送レートの比率２４０：６０Ｍｂｐｓの場合を示し、ｃは、図７の下段に示したパケット比率９：１及び伝送レートの比率２７０：３０Ｍｂｐｓの場合を示している。また、ｄは、図６に示した従来技術の場合を示している。
【００９３】
従来技術の実験結果を示すｄから、干渉波サイズの増加によって、スループットが低下し、干渉波サイズが１のときに、全てのデータパケットが損失することがわかる。また、本発明の実施形態の実験結果を示すａ〜ｃから、干渉波サイズが増加しても、全てのデータパケットが損失することはなく、伝送レートの値の近いパケット比率６：４（ａ）の場合に、高いスループットが得られることがわかる。
【００９４】
図８から、スループットは、全体として、従来技術の実験結果を示すｄよりも本発明の実施形態の実験結果を示すａ〜ｃの方が高い。これにより、本発明の実施形態によれば、従来技術に比べ、伝送誤りによるデータパケットの損失を低減させることができる。
【００９５】
以上、実施形態を挙げて本発明を説明したが、本発明は前記実施形態に限定されるものではなく、その技術思想を逸脱しない範囲で種々変形可能である。例えば、前記実施形態では、受信装置２は、ストリーム数、ストリーム毎の符号化率及び変調方式等を選択し、ストリーム毎の符号化率、変調方式、または符号化率及び変調方式を補正する符号化率等選択部（及び補正部）２６を備えているが、送信装置１に備えるようにしてもよい。この場合、受信装置２は、ＣＳＩ及びパケット損失情報を送信装置１へ送信し、送信装置１に備えた符号化率等選択部（及び補正部）２６は、ＣＳＩに基づいて、ストリーム数、ストリーム毎の符号化率及び変調方式等を選択し、パケット損失情報に基づいて、ストリーム毎の符号化率、変調方式、または符号化率及び変調方式を補正する。
【符号の説明】
【００９６】
１  送信装置
２  受信装置
１０，２４  メモリ
１１  振分部
１２  符号化部
１３  変調部
１４，２７  送信部
１５，２１  切替部
１６，２０  アンテナ
１７，２２  受信部
１８  指示部
２３  復調復号部
２５  ＣＳＩ推定部
２６  符号化率等選択部
【図１】
2017011568.tif 000003
【図２】
2017011568.tif 000004
【図３】
2017011568.tif 000005
【図４】
2017011568.tif 000006
【図５】
2017011568.tif 000007
【図６】
2017011568.tif 000008
【図７】
2017011568.tif 000009
【図８】
2017011568.tif 000010
【図９】
2017011568.tif 000011
【図１０】
2017011568.tif 000012
【図１１】
2017011568.tif 000013
【図１２】
2017011568.tif 000014